(57)【要約】    【課題】犬が長時間噛んでも飽きのこない、延いては歯磨き効果や歯茎のマッサージ効果に優れた、牛皮を使用したドッグトリートを提供すること。    【解決手段】牛皮の外筒に犬の嗜好に適する原材料の中子が充填された形態であることを特徴とするドッグトリート。【選択図】図１
0003114876.tif 000002
【実用新案登録請求の範囲】
【請求項１】
牛皮の外筒に犬の嗜好に適する原材料の中子が充填された形態であることを特徴とするドッグトリート。
【考案の詳細な説明】
【技術分野】
【０００１】
本考案は、ドッグトリート、さらに詳しくは、牛皮の外筒に犬の嗜好に適する原材料の中子（なかご）が充填された形態のドッグトリート、並びにこのようなドッグトリートであって（ａ）中子の原材料が精粉などの食物繊維を配合された、（ｂ）牛皮の外筒が犬の嗜好性成分を含浸された、または／および（ｃ）牛皮の外筒の表面がキシリトールでコーティングされたものに関する。
【背景技術】
【０００２】
今日、ペットの犬は、少子化社会に突入したこともあり、子のない夫婦などのよいペットとなり、栄養豊富な、犬の嗜好性のよいドッグフードを犬の食い気にまかせて与えるなど、大事に飼育される結果、長命になり、それに伴い肥満の問題や歯周病の問題が人間なみに生じている。
【０００３】
因みに、犬の口の中は、人間の口の中が弱酸性であるのと異なり、アルカリ性であるため、犬は虫歯になりにくいが歯周病にはかかる。これは、犬の場合、食べかすや唾液の成分が歯の表面に付着してできる歯垢は割合短時日で石灰化して歯石に変わり、するとさらに歯垢が付きやすくなり、その繰返しで歯垢・歯石の層が厚くなり、歯と歯茎の間の溝に歯垢の中のばい菌が入って炎症を起すと言われている。ひどい場合は、あごの骨に穴が開いたり、ばい菌が血管に入り、心臓や腎臓、肝臓疾患になったりするとも言われている。
【０００４】
このような犬の歯周病が増えた原因としては、犬の寿命が延びたこと、生肉を食べなくなって歯に付きやすい餌を食べていること、さらにペットとして小型犬が増えていることなどが考えられている。詳述すると、生肉は繊維が多く、歯の表面に付いた汚れをそぎ落とす効果があり、食べることが歯磨きの役を果たすわけであるが、繊維の少ない餌ではその働きは得られない。一方、小型犬は頭が小さいため、相対的に歯が大きく、歯並びが密になり、歯周病を起こしやすいと言われている。
【０００５】
ペットを歯周病から守る方法としては、人間と同じく歯磨きが考えられるが、犬は嫌がる場合もあり、家庭では実行し難い。他の方法は、犬用機能性スナックなど堅いものをかじらせることが考えられるが、現在のところ、満足のいく歯磨き効果や歯茎のマッサージ効果を奏するものは少ない。
【０００６】
これに関しては、素材に牛皮（ローハイド）を使用し、これを骨の形に加工したローハイドガムが「チューイングボーン」（商品名）の名称で市販されているが、愛犬が長時間飽きることなく噛んで楽しみ、延いては歯磨き効果や歯茎のマッサージ効果を得るためにはなお嗜好性の向上が必要である。
【考案の開示】
【考案が解決しようとする課題】
【０００７】
前項記載の背景技術のもとにおいて、本考案は、材料の１つとして牛皮を使用するが、前記の問題点を免れた優れたドッグトリートを提供することを目的とする。
【課題を解決するための手段】
【０００８】
本考案者は、前項記載の目的を達成すべく鋭意検討の結果、牛皮および犬の嗜好性のよい原材料を使用して、これらを牛皮の外筒に犬の嗜好性のよい原材料の中子を充填した形態のドッグトリートに作成することにより、犬が長時間噛んでも飽きることがなく、延いては歯磨き効果や歯茎のマッサージ効果の高いドッグトリートを提供することができることを見出し、このような知見に基いて本考案を完成するに至った。
【０００９】
すなわち、本考案は、牛皮の外筒に犬の嗜好に適する原材料の中子が充填された形態であることを特徴とするドッグトリートに関する。また、本考案は、このようなドッグトリートであって、（ａ）そのような原材料が精粉などの食物繊維を配合された、（ｂ）牛皮の外筒が犬の嗜好性成分を含浸された、または／および（ｃ）牛皮の外筒の表面がキシリトールでコーティングされたものに関する。
【考案の効果】
【００１０】
本考案のドッグトリートは、犬が長時間噛んでも飽きがこないので牛皮（ローハイド）による歯磨き効果や歯茎のマッサージ効果が長時間持続し、延いては犬の歯周病の予防や治療に極めて有用である。
【考案を実施するための最良の形態】
【００１１】
以下、本考案を詳細に説明する。
【００１２】
本考案のドッグトリートは、筒状に成形された牛皮の外筒に中子が充填された形態でなるものであるが、この牛皮は従来の犬用牛皮でよく、例えば、「チューイングボーン」などの商品名で市販されているものの素材であるローハイド（牛皮）でよい。なお、牛皮は犬の餌用としては、例えば、特開平５−３２８９１０号公報に記載されていて周知のものである。
【００１３】
牛皮を筒状に成形するには特別の困難はない。例えば、乾燥した牛皮をそのまま適宜の巾の細片（ストリップ）にカットして水で戻すかまたは水で戻してから適宜の巾の細片にカットする。このようにして得られた牛皮のストリップを鉄製や木製などの適宜の直径の丸棒の表面にラセン状に巻き付けてから例えば加熱乾燥機内に置いて乾燥する。必要に応じて、この加熱乾燥に牛皮の加熱殺菌を兼ねさせることもできる。巻き付けた牛皮が乾燥したら、丸棒を抜くと牛皮の外筒が完成する。なお、当業者であれば、ストリップの巾や丸棒の直径は、小型犬か大型犬かなど本考案のドッグトリートを与える犬の大きさによって適宜定めることができる。
【００１４】
このようにして成形した牛皮の外筒に充填すべき中子の原材料は、犬の嗜好性の高いことはもちろんであるが、そのほかに含有水分量などを考慮して選択することができる。水分量が多すぎるものを充填すると、牛皮の外筒がその水分で戻り、筒の形状を保持できなくなる。また、水分量が少な過ぎると、筒から抜けてしまい、筒内に保持できなくなる。また、中子の原材料は摩砕または混練してクリーム状にできるものが、クリーム状にしてから筒内に充填できるので好ましいことはいうまでもない。
【００１５】
適宜の水分量の中子の原材料を牛皮の筒内に充填し、例えば、加熱により乾燥する。このとき、加熱温度を調節することにより、この加熱乾燥に、要すれば、加熱殺菌を兼ねさせることもできる。なお、牛皮の筒は、中子の原材料の充填前に適宜の長さにカットしておいてもよいし、中子の原材料を充填し、乾燥してから必要により適宜の長さにカットすることもできる。
【００１６】
適当な中子の原材料の一例として、後掲実施例１で採用のものを挙げることができる。この原材料の組成では、牛皮の外筒に充填して加熱したとき、この加熱により蔗糖は水に高濃度で溶解し、ショートニングの作用とも相俟って、他の原材料とも均一に混じり合い、内相が均一な中子を与えるので好ましい。
【００１７】
中子の原材料に精粉（こんにゃく粉）などの食物繊維を配合すると、整腸作用や低カロリー化によいことは言うまでもない。
【００１８】
また、牛皮の外筒に、例えばチキンエキスのような犬の嗜好性成分を含浸させておくと製品のドッグトリートはより犬の好むものとなり、また噛む時間もより長くなり、延いては歯磨き効果や歯茎のマッサージ効果が向上する。
【００１９】
さらに、牛皮の外筒の表面にキシリトールをコーティングすると、歯周病の原因といわれる歯垢の生成長が抑えられるので好ましい。キシリトールをコーティングするには特別の困難はなく、例えば液体塗布して行なうことができる。
【００２０】
このようにして作成されたスティック状ドッグトリートは、適宜、包装、ダンボール詰めなどして流通に置かれる。
【実施例】
【００２１】
以下、本考案を実施例により更に説明する。
【００２２】
＜実施例１＞
市販の乾燥牛皮を一旦水で戻してから巾３ｃｍのストリップに裁断し、このストリップを直径１ｃｍ、長さ１ｍの鉄棒に適宜のピッチでラセン状に巻き、天日で４日間乾燥しオーブン９０℃の加熱乾燥器で乾燥した。乾燥後、室温冷却してから鉄棒を抜いて内径１ｃｍのスティック状の、ドッグトリートの外筒を作成した。
【００２３】
別途、蔗糖３０重量部、ミルク粉末１２．５７重量部、タピオカ粉末１１重量部、ショートニング９．９０重量部、水５．８６重量部並びに色素およびフレーバー０．６７重量部を混練してクリーム状とした。これを前記の牛皮の外筒合計３０重量部となる個数の筒内に押出し注入し、放置により乾燥した。かくして、本考案のスティック状ドッグトリートが得られた。なお、このドッグトリートは、小型〜大型犬の全てに適する。
【００２４】
なお、原材料に食物繊維を配合すること、牛皮の外筒に犬の嗜好成分を含浸させること、および牛皮の外筒にキシリトールをコーティングすることは、いずれも、当業者であれば、極めて容易に行なうことのできる自明の手段によることができる。
【産業上の利用可能性】
【００２５】
本考案によれば、犬の歯周病の予防、治療に優れた効能を有するドッグトリートを容易に提供することができる。
【図面の簡単な説明】
【００２６】
【図１】本考案のドッグトリートの１例の見取図を示す。
【符号の説明】
【００２７】
１：ドッグトリート
２：牛皮をラセン状に巻いた外筒
３：中子
【図１】
0003114876.tif 000003